(57)【要約】【課題】輝尽性蛍光体プレートに常に引き付ける力を付与することで輝尽性蛍光体プレートの平面性を確保することが可能である。【解決手段】カセッテシェル２をシェル本体３とシェル蓋体４とで開閉可能に構成し、シェル本体３内に輝尽性蛍光体プレート５を有し、シェル本体３からシェル蓋体４を開いて輝尽性蛍光体プレート５に放射線エネルギーを蓄積する放射線画像撮影用カセッテ１において、輝尽性蛍光体プレート５を突き当てることで取付位置を規制する位置規制部材６と、輝尽性蛍光体プレート５に対し着脱可能で輝尽性蛍光体プレート５を引き付けて位置規制部材６に突き当てる引き付け部材７とを配置した。【選択図】図１
2004191635.tif 000002
【特許請求の範囲】
【請求項１】
カセッテシェルをシェル本体とシェル蓋体とで開閉可能に構成し、前記シェル本体内に輝尽性蛍光体プレートを有し、前記シェル本体から前記シェル蓋体を開いて前記輝尽性蛍光体プレートに放射線エネルギーを蓄積する放射線画像撮影用カセッテにおいて、
前記輝尽性蛍光体プレートを突き当てることで取付位置を規制する位置規制部材と、
前記輝尽性蛍光体プレートに対し着脱可能で前記輝尽性蛍光体プレートを引き付けて前記位置規制部材に突き当てる引き付け部材と、
を配置したことを特徴とする放射線画像撮影用カセッテ。
【請求項２】
前記引き付け部材は、着脱可能な部材と弾性体とからなることを特徴とする請求項１に記載の放射線画像撮影用カセッテ。
【請求項３】
前記引き付け部材は、プレート取付時には前記弾性体を自由長よりも長い状態で拘束して維持しながら前記着脱可能な部材を前記輝尽性蛍光体プレートに取り付け、その後前記弾性体の拘束を解除することで前記輝尽性蛍光体プレートを前記位置規制部材に引き付けた状態で保持することを特徴とする請求項１または請求項２に記載の放射線画像撮影用カセッテ。
【請求項４】
前記着脱可能な部材が、繰り返し使用可能な粘着材であることを特徴とする請求項２乃至請求項３のいずれか１項に記載の放射線画像撮影用カセッテ。
【請求項５】
前記着脱可能な部材が、吸盤であることを特徴とする請求項２乃至請求項３のいずれか１項に記載の放射線画像撮影用カセッテ。
【請求項６】
前記引き付け部材は、吸盤と弾性体とからなることを特徴とする請求項１に記載の放射線画像撮影用カセッテ。
【請求項７】
前記引き付け部材は、プレート取付時に外力により前記弾性体に逆らって前記吸盤を押し上げた状態で、前記輝尽性蛍光体プレートを前記吸盤に押し付けて吸着し、その後外力の作用をなくすことで、前記弾性体の弾性により、又は前記吸盤自体の弾性力により、又はその両方により前記輝尽性蛍光体プレートを前記位置規制部材に引き付けることを特徴とする請求項６に記載の放射線画像撮影用カセッテ。
【請求項８】
前記吸盤は、外周部のヒダ部分をめくり、前記吸盤内に空気を入れることで前記カセッテシェルから前記輝尽性蛍光体プレートを取り外すことを特徴とする請求項６または請求項７に記載の放射線画像撮影用カセッテ。
【請求項９】
前記吸盤のヒダ部分と前記カセッテシェルを接続し、前記吸盤と前記カセッテシェルの距離を離す方向に変位させることで前記ヒダ部分をめくることを特徴とする請求項８に記載の放射線画像撮影用カセッテ。
【請求項１０】
前記輝尽性蛍光体プレートが板状部材に貼り付いていることを特徴とする請求項１乃至請求項９のいずれか１項に記載の放射線画像撮影用カセッテ。
【発明の詳細な説明】
【０００１】
【発明の属する技術分野】
この発明は、輝尽性蛍光体プレートの平面性を確保する放射線画像撮影用カセッテに関する。
【０００２】
【従来の技術】
放射線画像撮影用カセッテには、輝尽性蛍光体プレートが配置され、この輝尽性蛍光体プレートは、被写体を透過した放射線エネルギーの一部を検出すると同時に輝尽性蛍光体プレートの内部に検出された放射線エネルギーを蓄積する。さらに、輝尽性蛍光体プレート内に蓄積された放射線エネルギーは所定の波長のレーザ光で励起し輝尽光として取り出すことができる。この輝尽光を光電変換デバイスを持って電気信号として取り出し、放射線画像撮影に用いられる。
【０００３】
このような放射線画像撮影用カセッテには、機器内で放射線画像撮影用カセッテから輝尽性蛍光体プレートを取り出し、接触搬送し、読み取り操作を行うものがある（例えば特許文献１）。
【０００４】
また、機器内で放射線画像撮影用カセッテに輝尽性蛍光体プレートを貼り付けたままで表カバーを外し、読み取り操作を行う場合放射線画像撮影用カセッテに輝尽性蛍光体プレートを両面テープ、マグネットなどで貼り付けて使用することが提案されている（例えば特許文献２）。
【０００５】
【特許文献１】
特開２００２−１５６７１７号公報（第１〜第２０頁、図１、図２、図６）
【０００６】
【特許文献２】
特開平１０−３０００号公報（第１〜第１２頁、図１）
【０００７】
【発明が解決しようとする課題】
ところが、輝尽性蛍光体プレートは読み取り操作時の平面性が悪いと濃度ムラなどの画像品質上好ましくない問題が生じる。
【０００８】
そこで機器内で放射線画像撮影用カセッテから、輝尽性蛍光体プレートを取り出す方法では、輝尽性蛍光体プレートを剛体のプレート上に吸着するなどで平面性を維持する方法が採られる。しかしながら機器内で放射線画像撮影用カセッテから輝尽性蛍光体プレートを取り出す方法では、輝尽性蛍光体プレートの搬送によって擦り傷や汚れを生じる恐れがあり、傷汚れは画像上にノイズとして現れるため好ましくない。
【０００９】
また、機器内で放射線で放射線画像撮影用カセッテに輝尽性蛍光体プレートを貼り付けたままで表カバーを外し、読み取り操作を行う場合、平面性を確保する方法として、放射線画像撮影用カセッテを適度な剛性を持たせつつ、別途剛体平面に従わせて、結果として放射線画像撮影用カセッテの平面性を確保する方法が考えられ、これにより放射線画像撮影用カセッテの底面からプレート取付面までの距離を一定に保つことができる。このように放射線画像撮影用カセッテ内に輝尽性蛍光体プレートを取り付けたまま読み取りを行う「非接触搬送方式」ではプレート搬送による擦り傷や汚れの発生が生じないという利点がある。
【００１０】
しかしながら輝尽性蛍光体プレートと放射線画像撮影用カセッテを固定する方法としては、両面テープ子片を数か所に貼り付ける方法ではテープの厚みもあり平面性維持が難しい。これは両面テープがある程度のクッション性を必要とするためにある程度の厚みがあることにも起因する。
【００１１】
また、マグネットを使う場合は輝尽性蛍光体プレートに磁性体を添付する必要がある。さらに、磁力が周辺機器に悪影響を及ぼす恐れがある。
【００１２】
このように放射線画像撮影用カセッテから輝尽性蛍光体プレートを取り出すよりも放射線画像撮影用カセッテ内に輝尽性蛍光体プレートを取り付けたまま読み取りを行う「非接触搬送方式」がおおかたの場合好ましいが、場合によっては上記の問題が発生する。
【００１３】
この発明は、かかる点に鑑みてなされたもので、輝尽性蛍光体プレートに常に引きつける力を付与することで輝尽性蛍光体プレートの平面性を確保することが可能な放射線画像撮影用カセッテを提供することを目的としている。
【００１４】
【課題を解決するための手段】
前記課題を解決し、かつ目的を達成するために、この発明は、以下のように構成した。
【００１５】
請求項１に記載の発明は、カセッテシェルをシェル本体とシェル蓋体とで開閉可能に構成し、前記シェル本体内に輝尽性蛍光体プレートを有し、前記シェル本体から前記シェル蓋体を開いて前記輝尽性蛍光体プレートに放射線エネルギーを蓄積する放射線画像撮影用カセッテにおいて、
前記輝尽性蛍光体プレートを突き当てることで取付位置を規制する位置規制部材と、
前記輝尽性蛍光体プレートに対し着脱可能で前記輝尽性蛍光体プレートを引き付けて前記位置規制部材に突き当てる引き付け部材と、
を配置したことを特徴とする放射線画像撮影用カセッテである。
【００１６】
この請求項１に記載の発明によれば、輝尽性蛍光体プレートを引き付けて位置規制部材に突き当てることで、輝尽性蛍光体プレートの平面性を確保することができる。
【００１７】
請求項２に記載の発明は、前記引き付け部材は、着脱可能な部材と弾性体とからなることを特徴とする請求項１に記載の放射線画像撮影用カセッテである。
【００１８】
この請求項２に記載の発明によれば、引き付け部材が着脱可能な部材と弾性体とからなることで、簡単かつ確実に輝尽性蛍光体プレートを引き付けた状態で保持することができる。
【００１９】
請求項３に記載の発明は、前記引き付け部材は、プレート取付時には前記弾性体を自由長よりも長い状態で拘束して維持しながら前記着脱可能な部材を前記輝尽性蛍光体プレートに取り付け、その後前記弾性体の拘束を解除することで前記輝尽性蛍光体プレートを前記位置規制部材に引き付けた状態で保持することを特徴とする請求項１または請求項２に記載の放射線画像撮影用カセッテである。
【００２０】
この請求項３に記載の発明によれば、輝尽性蛍光体プレートを位置規制部材に引き付けた状態で保持し、輝尽性蛍光体プレートに常に引き付ける力を付与することで輝尽性蛍光体プレートの平面性を確保することができる。
【００２１】
請求項４に記載の発明は、前記着脱可能な部材が、繰り返し使用可能な粘着材であることを特徴とする請求項２乃至請求項３のいずれか１項に記載の放射線画像撮影用カセッテである。
【００２２】
この請求項４に記載の発明によれば、着脱可能な部材が、繰り返し使用可能な粘着材であることで、簡単な構造で長期間使用することできる。
【００２３】
請求項５に記載の発明は、前記着脱可能な部材が、吸盤であることを特徴とする請求項２乃至請求項３のいずれか１項に記載の放射線画像撮影用カセッテである。
【００２４】
この請求項５に記載の発明によれば、着脱可能な部材が、吸盤であることで、簡単な構造で長期間使用することできる。
【００２５】
請求項６に記載の発明は、前記引き付け部材は、吸盤と弾性体とからなることを特徴とする請求項１に記載の放射線画像撮影用カセッテである。
【００２６】
この請求項６に記載の発明によれば、引き付け部材が吸盤と弾性体とからなることで、簡単かつ確実に輝尽性蛍光体プレートを引き付けた状態で保持することができる。
【００２７】
請求項７に記載の発明は、前記引き付け部材は、プレート取付時に外力により前記弾性体に逆らって前記吸盤を押し上げた状態で、前記輝尽性蛍光体プレートを前記吸盤に押し付けて吸着し、その後外力の作用をなくすことで、前記弾性体の弾性により、又は前記吸盤自体の弾性力により、又はその両方により前記輝尽性蛍光体プレートを前記位置規制部材に引き付けることを特徴とする請求項６に記載の放射線画像撮影用カセッテである。
【００２８】
この請求項７に記載の発明によれば、輝尽性蛍光体プレートを吸盤に押し付けて吸着し、その後外力の作用をなくすことで、弾性体の弾性により、又吸盤自体の弾性力により、またはその両方により輝尽性蛍光体プレートを位置規制部材に引き付け、輝尽性蛍光体プレートに常に引き付ける力を付与することで輝尽性蛍光体プレートの平面性を確保することができる。
【００２９】
請求項８に記載の発明は、前記吸盤は、外周部のヒダ部分をめくり、前記吸盤内に空気を入れることで前記カセッテシェルから前記輝尽性蛍光体プレートを取り外すことを特徴とする請求項６または請求項７に記載の放射線画像撮影用カセッテである。
【００３０】
この請求項８に記載の発明によれば、吸盤の外周部のヒダ部分をめくり、吸盤内に空気を入れることでカセッテシェルから輝尽性蛍光体プレートを簡単に取り外すことができる。
【００３１】
請求項９に記載の発明は、前記吸盤のヒダ部分と前記カセッテシェルを接続し、前記吸盤と前記カセッテシェルの距離を離す方向に変位させることで前記ヒダ部分をめくることを特徴とする請求項８に記載の放射線画像撮影用カセッテである。
【００３２】
この請求項９に記載の発明によれば、吸盤とカセッテシェルの距離を離す方向に変位させることでヒダ部分をめくることができ、カセッテシェルから輝尽性蛍光体プレートを簡単に取り外すことができる。
【００３３】
請求項１０に記載の発明は、前記輝尽性蛍光体プレートが板状部材に貼り付いていることを特徴とする請求項１乃至請求項９のいずれか１項に記載の放射線画像撮影用カセッテである。
【００３４】
この請求項１０に記載の発明によれば、輝尽性蛍光体プレートが板状部材に貼り付いていることで、輝尽性蛍光体プレートの平面性をより確実に確保することができる。
【００３５】
【発明の実施の形態】
以下、この発明の放射線画像撮影用カセッテの実施の形態を図面に基づいて詳細に説明するが、この発明は、この実施の形態に限定されない。
【００３６】
まず、図１乃至図３の実施に形態の放射線画像撮影用カセッテについて説明する。図１は放射線画像撮影用カセッテの組付けを説明する図、図２は放射線画像撮影用カセッテの分解斜視図、図３は放射線画像撮影用カセッテの断面図である。
【００３７】
この実施の形態の放射線画像撮影用カセッテ１は、カセッテシェル２がシェル本体３とシェル蓋体４とで開閉可能に構成される。このシェル本体３内に輝尽性蛍光体プレート５を有し、シェル本体３からシェル蓋体４を開いて輝尽性蛍光体プレート５に放射線エネルギーを蓄積する。
【００３８】
シェル本体３の側壁には係合凹部３ａが形成され、シェル蓋体４の側壁には係合凸部４ａが形成され、シェル本体３の係合凹部３ａにシェル蓋体４の係合凸部４ａを係合して一体化される。
【００３９】
この放射線画像撮影用カセッテ１のシェル本体３内には、輝尽性蛍光体プレート５を突き当てることで取付位置を規制する位置規制部材６と、輝尽性蛍光体プレート５に対し着脱可能で輝尽性蛍光体プレート５を引き付けて位置規制部材６に突き当てる引き付け部材７とが、図２に示すように、４角形の４箇所に配置されている。
【００４０】
この位置規制部材６はシェル本体３内に一体に形成されるが、別体に設けて固定してもよい。
【００４１】
引き付け部材７は、着脱可能な部材７ａと弾性体７ｂとからなる。この弾性体７ｂの一端７ｂ１をシェル本体３内に固定し、他端７ｂ２に着脱可能な部材７ａが固定され、着脱可能な部材７ａに輝尽性蛍光体プレート５を取り付けるようになっている。着脱可能な部材７ａは、繰り返し使用可能な粘着材、あるいは吸盤等を用いることができ、簡単な構造で長期間使用することできる。また、弾性体７ｂとして、バネ、ゴム等を用いることができる。
【００４２】
この引き付け部材７は、図１（ａ）に示すように、プレート取付時には弾性体７ｂを自由長よりも長い状態で拘束して維持しながら、図１（ｂ）に示すように、着脱可能な部材７ａを輝尽性蛍光体プレート５に取り付ける。その後、図１（ｃ）に示すように、弾性体７ｂの拘束を解除することで輝尽性蛍光体プレート５を位置規制部材６に引き付けた状態で保持する。
【００４３】
このように、輝尽性蛍光体プレート５を位置規制部材６に引き付けた状態で保持し、輝尽性蛍光体プレート５に常に引き付ける力を付与することで、図３に示すように、シェル本体３の外面３ｂと輝尽性蛍光体プレート５との間の距離がＤ１となり、輝尽性蛍光体プレート５の平面性を確保することができる。また、引き付け部材７は、着脱可能な部材７ａと弾性体７ｂとからなることで、簡単かつ確実に輝尽性蛍光体プレート５を引き付けた状態で保持することができる。
【００４４】
この放射線画像撮影用カセッテ１は、放射線画像撮影機器内でシェル蓋体４を開けてシェル本体３に輝尽性蛍光体プレート５を引き付けた状態で保持し、読み取りが行われる。
【００４５】
図４は放射線画像撮影用カセッテの他の実施の形態の断面図である。この実施の形態では、輝尽性蛍光体プレート５が板状部材１０に貼り付いており、この板状部材１０に引き付け部材７の着脱可能な部材７ａを取り付け、輝尽性蛍光体プレート５を位置規制部材６に引き付けた状態で保持する。
【００４６】
このように、輝尽性蛍光体プレート５が板状部材１０に貼り付いていることで、輝尽性蛍光体プレート５の平面性をより確実に確保することができる。
【００４７】
図５は放射線画像撮影用カセッテの他の実施の形態の斜視図である。この実施の形態の放射線画像撮影用カセッテ１は、図１乃至図４に示すように構成されるが、シェル蓋体４に開閉シャッター２０を設け、このに開閉シャッター２０を開けると輝尽性蛍光体プレート５が露出するようになっている。
【００４８】
この放射線画像撮影用カセッテ１は、放射線画像撮影機器内でシェル蓋体４の開閉シャッター２０を開け、輝尽性蛍光体プレート５を露出させて読み取りが行われる。
【００４９】
図６乃至図８は放射線画像撮影用カセッテの他の実施の形態の断面図であり、図６は放射線画像撮影用カセッテの断面図、図７は輝尽性蛍光体プレートの取付状態を示す図、図８は輝尽性蛍光体プレートの取外状態を示す図である。
【００５０】
この実施の形態の放射線画像撮影用カセッテ１では、引き付け部材７が吸盤７ｃと弾性体７ｄとリボン７ｅからなる。弾性体７ｄは、ゴム等の板バネで構成され、この弾性体７ｄの両端７ｄ１，７ｄ２は、位置規制部材６に固定される。この弾性体７ｄには吸盤７ｃが固定され、位置規制部材６の間に吸盤７ｃが位置している。この吸盤７ｃと位置規制部材６との間にリボン７ｅが設けられ、リボン７ｅの一端７ｅ１が吸盤７ｃの外周部のヒダ部分７ｃ１に接続され、他端７ｅ２は位置規制部材６に接続されている。
【００５１】
輝尽性蛍光体プレート５の取付は、シェル本体３に形成された孔３０から押しピン３１を挿入し（図７（ａ））、この押しピン３１により弾性体７ｄを押し上げると、吸盤７ｃが位置規制部材６より上方に位置するようになる（図７（ｂ））。弾性体７ｄを押し上げる部材は、押しピン３１に限定されず、シェル本体３に変形可能な部材を設け、変形可能な部材で弾性体７ｄを押し上げる等の変位手段を用いることができる。
【００５２】
このように、外力により弾性体７ｄに逆らって吸盤７ｃを押し上げた状態で、輝尽性蛍光体プレート５を吸盤７ｃに押し付けて吸着し（図７（ｃ））、その後押しピン３１を孔３０から抜き、外力の作用をなくすことで、弾性体７ｄの弾性により、又は吸盤７ｃ自体の弾性力により、又はその両方により輝尽性蛍光体プレート５を位置規制部材６に引き付ける。
【００５３】
このように、輝尽性蛍光体プレート５を吸盤７ｃに押し付けて吸着し、その後外力の作用をなくすことで、輝尽性蛍光体プレート５を位置規制部材６に引き付け、輝尽性蛍光体プレート５に常に引き付ける力を付与することで輝尽性蛍光体プレート５の平面性を確保することができる。
【００５４】
この輝尽性蛍光体プレート５の取外は、シェル本体３に形成された孔３０から押しピン３１を挿入し（図８（ａ））、この押しピン３１により弾性体７ｄを押し上げると、吸盤７ｃのヒダ部分７ｃ１と位置規制部材６を接続しているリボン７ｅにより、ヒダ部分７ｃ１が引かれてめくれる（図８（ｂ））。
【００５５】
このように、吸盤７ｃとシェル本体３の距離を離す方向に変位させることで吸盤７ｃのヒダ部分７ｃ１がめくれ（図８（ｃ））、吸盤７ｃ内に空気を入れることでシェル本体３から輝尽性蛍光体プレート５を簡単に取り外すことができる（図８（ｄ））。
【００５６】
このように、リボン７ｅにより吸盤７ｃのヒダ部分７ｃ１とシェル本体３のカセッテシェルを接続し、吸盤７ｃとカセッテシェルの距離を離す方向に変位させることでヒダ部分７ｃ１をめくることができ、カセッテシェルから輝尽性蛍光体プレート５を簡単に取り外すことができる。
【００５７】
この実施の形態においても、輝尽性蛍光体プレート５に板状部材を貼り付けてもよく、より輝尽性蛍光体プレート５の平面性をより確実に確保することができる。
【００５８】
【発明の効果】
前記したように、請求項１に記載の発明では、輝尽性蛍光体プレートを引き付けて位置規制部材に突き当てることで、輝尽性蛍光体プレートの平面性を確保することができる。
【００５９】
請求項２に記載の発明では、引き付け部材が着脱可能な部材と弾性体とからなることで、簡単かつ確実に輝尽性蛍光体プレートを引き付けた状態で保持することができる。
【００６０】
請求項３に記載の発明では、輝尽性蛍光体プレートを位置規制部材に引き付けた状態で保持し、輝尽性蛍光体プレートに常に引き付ける力を付与することで輝尽性蛍光体プレートの平面性を確保することができる。
【００６１】
請求項４に記載の発明では、着脱可能な部材が、繰り返し使用可能な粘着材であることで、簡単な構造で長期間使用することできる。
【００６２】
請求項５に記載の発明では、着脱可能な部材が、吸盤であることで、簡単な構造で長期間使用することできる。
【００６３】
請求項６に記載の発明では、引き付け部材が吸盤と弾性体とからなることで、簡単かつ確実に輝尽性蛍光体プレートを引き付けた状態で保持することができる。
【００６４】
請求項７に記載の発明では、輝尽性蛍光体プレートを吸盤に押し付けて吸着し、その後外力の作用をなくすことで、弾性体の弾性により、又吸盤自体の弾性力により、またはその両方により輝尽性蛍光体プレートを位置規制部材に引き付け、輝尽性蛍光体プレートに常に引き付ける力を付与することで輝尽性蛍光体プレートの平面性を確保することができる。
【００６５】
請求項８に記載の発明では、吸盤の外周部のヒダ部分をめくり、吸盤内に空気を入れることでカセッテシェルから輝尽性蛍光体プレートを簡単に取り外すことができる。
【００６６】
請求項９に記載の発明では、吸盤とカセッテシェルの距離を離す方向に変位させることでヒダ部分をめくることができ、カセッテシェルから輝尽性蛍光体プレートを簡単に取り外すことができる。
【００６７】
請求項１０に記載の発明では、輝尽性蛍光体プレートが板状部材に貼り付いていることで、輝尽性蛍光体プレートの平面性をより確実に確保することができる。
【図面の簡単な説明】
【図１】放射線画像撮影用カセッテの組付けを説明する図である。
【図２】放射線画像撮影用カセッテの分解斜視図である。
【図３】放射線画像撮影用カセッテの断面図である。
【図４】放射線画像撮影用カセッテの他の実施の形態の断面図である。
【図５】放射線画像撮影用カセッテの他の実施の形態の斜視図である。
【図６】放射線画像撮影用カセッテの断面図である。
【図７】輝尽性蛍光体プレートの取付状態を示す図である。
【図８】輝尽性蛍光体プレートの取外状態を示す図である。
【符号の説明】
１  放射線画像撮影用カセッテ
２  カセッテシェル
３  シェル本体
４  シェル蓋体
５  輝尽性蛍光体プレート
７  引き付け部材
【図１】
2004191635.tif 000003
【図２】
2004191635.tif 000004
【図３】
2004191635.tif 000005
【図４】
2004191635.tif 000006
【図５】
2004191635.tif 000007
【図６】
2004191635.tif 000008
【図７】
2004191635.tif 000009
【図８】
2004191635.tif 000010